(57)【要約】【課題】  流水断面を維持しつつ、水路内の水の流れに影響を受けず、常に生物が棲息できる空間を備えた水路構造体を提供する。【解決手段】  水路構造体１は、その底部の一部が他の部分より深くなるように形成された水路本体２と、水路本体２の底部上に設置された魚巣ブロック１０ａを備えている。尚、水路本体２は、深さの異なる第１の水路ブロック３ａ及び３ｂと、第２の水路ブロック４ａ及び４ｂとから構成されている。魚巣ブロック１０ａは、底部８ａ対向すると共に、底部９ａ及び９ｂとほぼ整列するように配置される上面部材４３ａを有し、下流側に配置される開放面１１ａが第２の水路ブロック４ｂの上流側端部から所定距離離れて設置され、上流側部分は傾斜部材４５ａによって内部への水の流入が阻止されている。これにより、水路本体２の深い底部８ａ上には、常に上面部材４３ａで覆われ、最後まで水が残存する空間が構築される。【選択図】        図１
2006132248.tif 000002
【特許請求の範囲】
【請求項１】
水を流すための水路構造体であって、
断面がＵ字形状を有し、その底部における少なくとも一部が他の部分より深くなるように形成された水路本体と、
前記一部の上面と対向すると共に、前記他の部分の上面とほぼ整列するように配置される上面部材と、前記上面部材に隣接する一面の部分が開放された開放面とを有し、前記開放面が前記一部における前記水路本体の下流側の端部から所定距離離れた位置に配置されるように、前記一部の上面に設置され、前記水路本体の上流側からその内部への水の流入がほぼ阻止された少なくとも１つの魚巣ブロックとを備えた、水路構造体。
【請求項２】
前記水路本体は、
コンクリート二次製品よりなる少なくとも１つの第１の水路ブロックと、
コンクリート二次製品よりなり、各々の上端が前記第１の水路ブロックの上端と整列するように、前記第１の水路ブロックの前記上流側と前記下流側とに接続された少なくとも一対の第２の水路ブロックとからなり、
前記第１の水路ブロックは、前記第２の水路ブロックより深い、請求項１記載の水路構造体。
【請求項３】
前記上面部材は、ほぼ矩形形状を有し、
前記魚巣ブロックは、前記上面部材における前記水路本体の長手方向と平行な辺の各々に接続された一対の側壁部材と、前記上面部材における前記上面側の辺に接続され、その外方面が前記上流側に向かって下降するように形成された傾斜部材とを含む、請求項１または請求項２記載の水路構造体。
【請求項４】
前記傾斜部材の下方端縁には、前記魚巣ブロックの設置時に、前記一部との間に前記魚巣ブロック内部と挿通自在の隙間を生じるような少なくとも１つの切欠が形成される、請求項３記載の水路構造体。
【請求項５】
前記上面部材は、ほぼ矩形形状を有し、
前記魚巣ブロックは、前記上流側の面が更に開放され、前記上面部材における前記水路本体の長手方向と平行な辺の各々に接続された一対の側壁部材を含み、前記上面部材における前記上流側の辺と、前記上流側の前記他の部分の端部とが接するように設置される、請求項１または請求項２記載の水路構造体。
【請求項６】
前記上面部材は、ほぼ矩形形状を有し、
前記魚巣ブロックは、前記上面部材における前記水路本体の長手方向と平行な辺の各々に接続された一対の側壁部材と、前記上面部材における前記上面側の辺に接続され、その外方面がほぼ垂直面となるように形成された垂直部材とを含み、前記垂直面の上端部が前記上流側の前記第２の水路ブロックの底部の端面に接するように設置される、請求項２記載の水路構造体。
【請求項７】
前記魚巣ブロックの幅方向の寸法は、前記水路本体の一対の側壁部の内方側の間隔より小さく設定され、
前記側壁部材の少なくとも一方と、前記一方と対向する前記側壁部とが現場打ちのコンクリートを介して接続される、請求項３から請求項６のいずれかに記載の水路構造体。
【請求項８】
前記上面部材の内方面には、前記水路本体の幅方向と平行な方向の断面において上方に凹んだ少なくとも１つの凹部が形成され、
前記上面部材は、前記凹部の上面が前記他の部分の上面より上方に位置するように配置される、請求項１から請求項７のいずれかに記載の水路構造体。
【請求項９】
前記上面部材には、少なくとも１つの開口が形成される、請求項１から請求項８のいずれかに記載の水路構造体。
【請求項１０】
前記魚巣ブロックは、前記開放面を２以上に仕切る仕切部材を更に備える、請求項１から請求項９のいずれかに記載の水路構造体。
【発明の詳細な説明】
【技術分野】
【０００１】
この発明は、水路構造体に関し、特に生物が棲息できる空間を備えた水路構造体に関するものである。
【背景技術】
【０００２】
現在、河川以外の小型水路工事においては、三面コンクリートの二次製品である水路ブロックが多く用いられている。このような三面コンクリートの水路ブロックによって構成した水路には、魚類等の生物が棲息できる場所がなく、水路内での棲息や繁殖が困難であった。特に、夏期の渇水時には、水路内の水が枯渇して流れが止まってしまうため、生物にとっては死の世界となっていた。
【０００３】
そこで、水路内外に生物の棲息場所を確保するためのコンクリート二次製品水路が考えられており、水路ブロックの側壁に穴を開けて、側壁の背面に魚巣ブロックを配置したものが知られている（例えば、特許文献１及び特許文献２参照）。
【０００４】
【特許文献１】特許第２８３７８１１号公報
【特許文献２】登録実用新案第３０２２４３０号公報
【発明の開示】
【発明が解決しようとする課題】
【０００５】
上記のような従来の三面コンクリートの二次製品では、下記のような問題が考えられる。
（１）渇水時等に水路に水が流れなくなると、水路全体の底部の水がなくなってしまうため、水棲生物は死滅してしまう。
（２）魚巣ブロックを備えた水路であっても、止水機能を備えていないため、土の部分を通じて常時水が流出し、水の枯渇を促進するおそれがある。
（３）大水の時には、水路を流れる水の流れが速くなるため、水棲生物や、底に溜まっている泥や砂、石、藻類などが一緒に流れてしまう。
（４）三面コンクリートに囲まれている水路の場合、生物の隠れ場所が少ない。
（５）渇水時には、水路に水が残っている場合でも、水深が浅くなってしまうため、水棲生物は水鳥の格好の餌となってしまう。
（６）また、通常の水路内に泥や水を留めるために、堰状のブロックを取り付けることも考えられている。しかしながら、通常の水路の底部にブロックを設置すると、計画された流水断面を阻害してしまい、大水の時に計画通りの水が流れないといった水利上の問題が生じてしまう。
（７）更に、水路内に単に水を溜めるだけの構造も考えられるが、魚類等の生物が出入り自在で、底部には生物の餌があり、上部には水鳥等から保護される覆いを備えた空間が確保された構造には至っていない。
【０００６】
この発明は、上記のような課題を解決するためになされたもので、流水断面を維持しつつ、水路内の水の流れに影響を受けず、常に生物が棲息できる空間を備えた水路構造体を提供することを目的とする。
【課題を解決するための手段】
【０００７】
上記の目的を達成するために、請求項１記載の発明は、水を流すための水路構造体であって、断面がＵ字形状を有し、その底部における少なくとも一部が他の部分より深くなるように形成された水路本体と、一部の上面と対向すると共に、他の部分の上面とほぼ整列するように配置される上面部材と、上面部材に隣接する一面の部分が開放された開放面とを有し、開放面が一部における水路本体の下流側の端部から所定距離離れた位置に配置されるように、一部の上面に設置され、水路本体の上流側からその内部への水の流入がほぼ阻止された少なくとも１つの魚巣ブロックとを備えたものである。
【０００８】
このように構成すると、水路本体の深い部分に、上面部材で常に覆われた空間が構成され、上面部材で覆われた内部には、渇水時においても最後まで水が残存する。また、上面部材が水路本体の浅い他の部分と整列するので、水路本体の流水断面が殆ど阻害されることがない。
【０００９】
請求項２記載の発明は、請求項１記載の発明の構成において、水路本体は、コンクリート二次製品よりなる少なくとも１つの第１の水路ブロックと、コンクリート二次製品よりなり、各々の上端が第１の水路ブロックの上端と整列するように、第１の水路ブロックの上流側と下流側とに接続された少なくとも一対の第２の水路ブロックとからなり、第１の水路ブロックは、第２の水路ブロックより深いものである。
【００１０】
このように構成すると、第２の水路ブロックより深い第１の水路ブロックによって、水路本体の深い一部が構成される。
【００１１】
請求項３記載の発明は、請求項１または請求項２記載の発明の構成において、上面部材は、ほぼ矩形形状を有し、魚巣ブロックは、上面部材における水路本体の長手方向と平行な辺の各々に接続された一対の側壁部材と、上面部材における上面側の辺に接続され、その外方面が上流側に向かって下降するように形成された傾斜部材とを含むものである。
【００１２】
このように構成すると、傾斜部材の外方面に形成された傾斜面によって、下流に向かって上昇する方向の水流を生じる。また、傾斜面によって、水路の上流側から魚巣ブロック内部への水の流入が阻止される。
【００１３】
請求項４記載の発明は、請求項３記載の発明の構成において、傾斜部材の下方端縁には、魚巣ブロックの設置時に、一部との間に魚巣ブロック内部と挿通自在の隙間を生じるような少なくとも１つの切欠が形成されるものである。
【００１４】
このように構成すると、魚巣ブロック内への通水性が良くなる。
【００１５】
請求項５記載の発明は、請求項１または請求項２記載の発明の構成において、上面部材は、ほぼ矩形形状を有し、魚巣ブロックは、上流側の面が更に開放され、上面部材における水路本体の長手方向と平行な辺の各々に接続された一対の側壁部材を含み、上面部材における上流側の辺と、上流側の他の部分の端部とが接するように設置されるものである。
【００１６】
このように構成すると、水路本体の上流側の浅い部分の端部を利用して、魚巣ブロックの内部が囲われた状態となる。
【００１７】
請求項６記載の発明は、請求項２記載の発明の構成において、上面部材は、ほぼ矩形形状を有し、魚巣ブロックは、上面部材における水路本体の長手方向と平行な辺の各々に接続された一対の側壁部材と、上面部材における上面側の辺に接続され、その外方面がほぼ垂直面となるように形成された垂直部材とを含み、垂直面の上端部が上流側の第２の水路ブロックの底部の端面に接するように設置されるものである。
【００１８】
このようにすると、第１の水路ブロックの上流側の端部と第２の水路ブロックとの接続部分が魚巣ブロックの垂直部材に覆われる。
【００１９】
請求項７記載の発明は、請求項３から請求項６のいずれかに記載の発明の構成において、魚巣ブロックの幅方向の寸法は、水路本体の一対の側壁部の内方側の間隔より小さく設定され、側壁部材の少なくとも一方と、一方と対向する側壁部とが現場打ちのコンクリートを介して接続されるものである。
【００２０】
このように構成すると、魚巣ブロックの側壁部材と水路本体の側壁部との間の隙間の少なくとも一方がコンクリートで充填された状態となる。
【００２１】
請求項８記載の発明は、請求項１から請求項７のいずれかに記載の発明の構成において、上面部材の内方面には、水路本体の幅方向と平行な方向の断面において上方に凹んだ少なくとも１つの凹部が形成され、上面部材は、凹部の上面が他の部分の上面より上方に位置するように配置されるものである。
【００２２】
このように構成すると、魚巣ブロック内部に泥砂等が堆積しても、上面部材の内方面の凹部の少なくとも一部に水が貯留される。
【００２３】
請求項９記載の発明は、請求項１から請求項８のいずれかに記載の発明の構成において、上面部材には、少なくとも１つの開口が形成されるものである。
【００２４】
このように構成すると、魚巣ブロック内への通水性がより良くなる。
【００２５】
請求項１０記載の発明は、請求項１から請求項９記載のいずれかに記載の発明の構成において、魚巣ブロックは、開放面を２以上に仕切る仕切部材を更に備えるものである。
【００２６】
このように構成すると、開放面がより小さい２以上の開放部分に分割される。
【発明の効果】
【００２７】
以上説明したように、請求項１記載の発明は、水路本体の深い部分に、上面部材で常に覆われた空間が構成されるため、魚類等の水棲生物が棲息できる環境を構築することが可能となる。また、上面部材で覆われた内部には、渇水時においても最後まで水が残存するため、生物の棲息環境をより長く維持することが可能となる。更に、上面部材が水路本体の浅い他の部分と整列することにより、水路本体の流水断面が殆ど阻害されることがないため、流水断面を安定して確保することが可能となる。更に、魚巣ブロックの上流側部分は水の流入が阻止されているため、大水の際にも魚類等の生物がその内部にとどまることができ、魚巣ブロックの内部に堆積した泥砂や藻類等の流出が防止される。
【００２８】
請求項２記載の発明は、請求項１記載の発明の効果に加えて、第２の水路ブロックより深い第１の水路ブロックによって、水路本体の深い一部が構成されるため、深さの異なるコンクリート二次製品を利用することによって、容易に水路構造体を構成することが可能となる。また、標準的な二次製品を使用すれば、施工コストも経済的となる。
【００２９】
請求項３記載の発明は、請求項１または請求項２記載の発明の効果に加えて、傾斜部材の外方面に形成された傾斜面によって、下流に向かって上昇する方向の水流を生じるため、魚巣ブロックの下流側に堆積した泥砂等の流失を抑制することが可能となる。また、傾斜面によって、水路の上流側から魚巣ブロック内部への水の流入が阻止されるため、水路本体内における魚巣ブロックの設置位置の自由度が向上する。
【００３０】
請求項４記載の発明は、請求項３記載の発明の効果に加えて、魚巣ブロック内への通水性が良くなるため、魚巣ブロック内に水や生物の餌が侵入しやすくなり、生物の棲息環境が向上する。
【００３１】
請求項５記載の発明は、請求項１または請求項２記載の発明の効果に加えて、水路本体の上流側の浅い部分の端部を利用して、魚巣ブロックの内部が囲われた状態となるため、魚巣ブロックを効率的な形状に形成することができる。また、魚巣ブロック内部の空間を奥行き方向により大きくすることが可能となる。
【００３２】
請求項６記載の発明は、請求項２記載の発明の効果に加えて、第１の水路ブロックの上流側の端部と第２の水路ブロックとの接続部分が魚巣ブロックの垂直部材に覆われるため、魚巣ブロックの取り付けによって第１の水路ブロックの上流側の接続部分の止水が可能となり、止水のための別部材が不要となる。
【００３３】
請求項７記載の発明は、請求項３から請求項６のいずれかに記載の発明の効果に加えて、魚巣ブロックの側壁部材と水路本体の側壁部との間の隙間の少なくとも一方が現場打ちのコンクリートで充填された状態となるため、所定の大きさの魚巣ブロックを用意すれば、これに特別な加工を施すことなく、様々な幅方向の寸法を有する水路本体に対して取り付けることが可能となる。
【００３４】
請求項８記載の発明は、請求項１から請求項７のいずれかに記載の発明の効果に加えて、魚巣ブロック内部に泥砂等が堆積しても、上面部材の内方面の凹部の少なくとも一部に水が貯留されるため、魚巣ブロック内部に泥砂等を堆積させて水草や藻類等の植物を繁茂させると共に、泥砂等の堆積にかかわらず、魚類等が常に出入りできる空間を凹部内に確保することが可能となる。
【００３５】
請求項９記載の発明は、請求項１から請求項８のいずれかに記載の発明の効果に加えて、魚巣ブロック内への通水性がより良くなるため、魚巣ブロック内へ水や生物の餌がより侵入しやすくなり、生物の棲息環境がより向上する。
【００３６】
請求項１０記載の発明は、請求項１から請求項９記載のいずれかに記載の発明の効果に加えて、開放面がより小さい２以上の開放部分に分割されるため、開放面の仕切部材によって、魚巣ブロック内に侵入できる生物の大きさを限定することが可能となる。
【発明を実施するための最良の形態】
【００３７】
図１は、この発明の第１の実施の形態による水路構造体の概略構成を示した斜視図であり、図２は、図１で示した魚巣ブロックの斜視図であり、図３は、図２で示した魚巣ブロックを下方から見た斜視図であり、図４は、図１で示したＩＶ−ＩＶラインの断面図であり、更に図５は、図１で示したＶ−Ｖラインの拡大断面図である。尚、図１及び図４においては、図における左側が水路の上流側となるように示されている。
【００３８】
これらの図を参照して、水路構造体１は、断面がＵ字形状を有し、その底部における少なくとも一部が他の部分より深くなるように構成された水路本体２と、水路本体２における深い部分に設置された魚巣ブロック１０ａ及び１０ｂとから構成されている。
【００３９】
水路本体２は、断面Ｕ字形のコンクリート二次製品よりなり、長手方向に接続された第１の水路ブロック３ａ及び３ｂと第１の水路ブロック３ａ及び３ｂの上流側と下流側とにそれぞれ接続された一対の第２の水路ブロック４ａ及び４ｂとから構成されている。これらの第１の水路ブロック３ａ及び３ｂと、第２の水路ブロック４ａ及び４ｂとは、いずれも標準的な二次製品水路ブロックよりなり、第１の水路ブロック３ａ及び３ｂには、第２の水路ブロック４ａ及び４ｂより深いブロックが使用されている。例えば、第１の水路ブロック３ａ及び３ｂの底部８ａ及び８ｂが、底部９ａ及び９ｂより２０ｃｍ深くなるように、第１の水路ブロック３ａ及び３ｂには深さが１．２ｍのブロックを用い、第２の水路ブロックとして深さが１ｍの水路ブロックを使用することができる。また、第１の水路ブロック３ａ及び３ｂの各々と第２の水路ブロック４ａ及び４ｂの各々とは、それぞれ上端部分が整列するように配置され、それぞれの下方の隣接部分は、例えば現場打ちのコンクリート５ａ及び５ｂによって止水されている。
【００４０】
魚巣ブロック１０ａは、隣接する二面が開放された箱形形状を有するコンクリート二次製品として形成されている。魚巣ブロック１０ａは、平面視ほぼ矩形形状の上面部材４３ａと、上面部材４３ａの幅方向の対向する二辺の各々に接続された一対の側壁部材４４ａ及び４４ｂと、設置時に上流側に配置される上面部材４３ａの他の一辺に接続され、その外面に外方側に向かって下降するような傾斜面１２ａが形成された傾斜部材４５ａとを備えている。また、上面部材４３ａには、その横断面において魚巣ブロック１０ａの上方に突出する一対の凸部１４ａ及び１４ｂが形成されると共に、上面部材の内方面（下面）には、これらの凸部１４ａ及び１４ｂと対応して上方に凹んだ一対の凹部１６ａ及び１６ｂが形成されている。
【００４１】
魚巣ブロック１０ａの寸法は、この実施の形態においては、魚巣ブロック１０ａの幅方向の寸法は、第１の水路ブロック３ａ及び３ｂの内部の幅とほぼ等しく、魚巣ブロックの垂直方向の高さは、第１の水路ブロック３ａ及び３ｂと第２の水路ブロック４ａ及び４ｂとの深さの差とほぼ等しくなるように設定されている。また、魚巣ブロック１０ａの長手方向の寸法は、第１の水路ブロック３ａ及び３ｂの各々の長手方向の寸法より小さく設定されている。
【００４２】
尚、他方の魚巣ブロック１０ｂについても、魚巣ブロック１０ａと同一形状に形成されている。
【００４３】
このように構成された魚巣ブロック１０ａは、傾斜部材４５ａの外方側の端部が、第１の水路ブロック３ａの上流側の端部４６ａと整列し、傾斜部材４５ａと側壁部材４４ａ及び４４ｂとの下端部分がそれぞれ第１の水路ブロック３ａの底部８ａの上面に接するように設置されている。このとき、魚巣ブロック１０ａの上面部材４３ａは、第１の水路ブロック３ａの底部８ａの上面と対向すると共に、第２の水路ブロックの底部９ａ及び９ｂの各々の上面とほぼ整列するように配置されている。また、開放面１１ａは、水路本体２の浅い部分を構成する第２の水路ブロック４ｂの上流側の端部４７から所定距離離れた位置に配置されており、開放面１１ａを介して魚巣ブロック１０ａの内部と水路本体２の内部とが挿通状態となっている。魚巣ブロック１０ａの上流側部分は、上述した傾斜部材４５ａによって、水路本体２の上流側からその内部への水の流入が阻止されている。更に、上面部材４３ａの内方面に形成された凹部１６ａ及び１６ｂの上面部分が、底部９ａ及び９ｂの上面より上方となるように配置されている。
【００４４】
他方の魚巣ブロック１０ｂについては、傾斜部材４５ｂの外方側の端部が第１の水路ブロック３ｂの上流側の端部４６ｂと整列するように、第１の水路ブロック３ｂの底部８ｂの上面に設置され、同様に、開放面１１ｂが第２の水路ブロック４ｂの上流側の端部４７から所定距離離れた位置に配置されている。
【００４５】
尚、魚巣ブロック１０ａ及び１０ｂを第１の水路ブロック３ａ及び３ｂに固定するためには様々な方法が可能であるが、例えば、各々の側壁部材の部分と第１の水路ブロック３ａ及び３ｂの側壁部分とを接着剤やセメント等を用いて固着させることができる。また、施工時に、必要に応じて、底部８ａ及び８ｂ上の魚巣ブロック１０ａ及び１０ｂの内外に、泥や砂、石等を敷設しても良い。
【００４６】
このように、水路本体２内に第１の水路ブロック３ａ及び３ｂによって形成された深い部分に、魚巣ブロック１０ａ及び１０ｂを設置することによって、常に上面部材４３ａ及び４３ｂで覆われた空間が構成されるため、水路本体２の内部に魚類等の水棲生物が棲息できる環境を構築することが可能となる。夏期の渇水時において、第２の水路ブロック４ａ及び４ｂ内の水量が減少して水面７が低下した場合でも、水棲生物は魚巣ブロック１０ａ及び１０ｂの内部で水鳥等の天敵から身を隠すことができるため、水棲生物の棲息や繁殖を促進することができる。更に水量が減少して、水面７が第２の水路ブロック４ａ及び４ｂの底部９ａ及び９ｂのレベルまで低下した場合であっても、底部８ａ及び８ｂ上には最後まで水が残存するため、魚巣ブロック１０ａ及び１０ｂによって構築された生物の棲息環境をより長く維持することが可能となる。
【００４７】
更に、この実施の形態による水路構造体１においては、上述のように、上面部材４３ａ及び４３ｂは、第２の水路ブロック４ａ及び４ｂの底部９ａ及び９ｂとほぼ整列するように配置されているため、魚巣ブロック１０ａ及び１０ｂの設置によって、第２の水路ブロック４ａ及び４ｂの流水断面は殆ど阻害されることがない。よって、予め計算された流水断面は維持され、計画通りの流水量を安定して確保することができる。
【００４８】
更に、魚巣ブロック１０ａ及び１０ｂの上流側部分は、傾斜部材４５ａ及び４５ｂによって水の流入が阻止されているため、魚巣ブロック１０ａの内部は常に水流の影響が小さくなる。よって、大水の際にも魚類等の生物はその内部にとどまることができる共に、魚巣ブロックの内部に堆積した泥砂やそこに根付いた藻類等の流出も抑制することが可能となる。また、魚巣ブロック１０ａ及び１０ｂは、図１及び図４で示した位置以外の場所にも取り付けても、内部に同様の空間を構築することができるため、水路本体２内における設置位置の自由度が向上する。
【００４９】
特に、この実施の形態においては、傾斜部材４５ａ及び４５ｂの外面には、上流側に向かって下降する傾斜面１２ａ及び１２ｂが形成されているため、上流から下流（図１及び図４の矢印の方向）への流れによって、傾斜面１２ａ及び１２ｂに沿って上昇する方向の水流が発生する。そのため、魚巣ブロック１０ａ及び１０ｂの上流側が傾斜していない場合と比べると、下流側に堆積した泥砂等の流失を抑制することが可能となる。
【００５０】
更に、この実施の形態では、水路本体２の深い一部は、第２の水路ブロック４ａ及び４ｂより深い第１の水路ブロック３ａ及び３ｂを利用して構成されている。したがって、従来のような魚巣機能付きの特殊で高価なブロックを使用しなくても、深さの異なる標準的なコンクリート二次製品ブロックを用いて魚巣ブロック１０ａ及び１０ｂを取り付けるだけで良いので、水路構造体１の構成が容易となり、製造及び施工コストの面でも経済的となる。また、用水路のように止水が必要な水路を施工する場合でも、二次製品ブロックの部分については漏水の心配もない。
【００５１】
そして、この実施の形態においては、仮に、第１の水路ブロック３ａ及び３ｂの底部８ａ及び８ｂ上に図４及び図５の二点鎖線で示した位置まで泥砂６等が堆積した場合でも、上面部材４３ａの凹部１６ａ及び１６ｂの上面を含む少なくとも一部に水が溜まり、開放面１１ａを介して出入り自在の空間が確保されることになる。よって、魚巣ブロック１０ａの内部に泥砂等を堆積させて水草や藻類等の植物を繁茂させることができると共に、常に魚類等が常に出入りして棲息できる空間を維持することが可能となる。
【００５２】
図６は、この発明の第２の実施の形態による水路構造体の断面図であり、図７は、図６で示した魚巣ブロックの斜視図であり、図８は、図７で示した魚巣ブロックを下方から見た斜視図である。
【００５３】
これらの図を参照して、この実施の形態による水路構造体１は、水路本体の構成は先の第１の実施の形態と同様であるが、魚巣ブロック１０の形状と、魚巣ブロック１０の水路本体への固定方法が先の第１の実施の形態とは大きく異なっている。
【００５４】
この実施の形態による魚巣ブロック１０においては、上面部材４３の外方面に、断面において幅方向のほぼ中央部分が外方に突出した凸部１４が形成され、上面部材４３の内方面に、凸部１４に対応して上方へと凹んだ凹部１６が形成されている。また、上面部材４３における凸部１４の両側には、上面部材４３をこれと直交する方向に貫通する一対の開口１８ａ及び１８ｂが形成されている。更に、魚巣ブロック１０の一対の側壁部材４４ａ及び４４ｂには、その長手方向のほぼ中央部分に平面視台形状の切欠１９ａ及び１９ｂが形成されている。この切欠１９ａ及び１９ｂは、後述する魚巣ブロック１０の取り付け時に利用されるものである。
【００５５】
この実施の形態においては、魚巣ブロック１０は、図６に示されるように、側壁部１７ａ及び１７ｂ同志の内面間隔が魚巣ブロック１０の幅より大きな第１の水路ブロック３に取り付けられている。この第１の水路ブロック３の底部には、一対のボルト２２ａ及び２２ｂが、各々の軸方向が垂直上方に伸びるように、インサートアンカー２０ａ及び２０ｂを介して取り付けられている。
【００５６】
魚巣ブロック１０を水路ブロック３の底部８上に設置する際には、ボルト２２ａ及び２２ｂの各々を、上面部材４３に形成された開口１８ａ及び１８ｂの各々に、下方から挿通させる。そして、ボルト２２ａ及び２２ｂの各々の上端に、ナット２３ａ及び２３ｂの各々を取り付けて締結すると、魚巣ブロック１０が底部８上に固定された状態となる。更に、側壁部材４４ａ及び４４ｂの各々の外面と、これに対向する第１の水路ブロック３の側壁部１７ａ及び１７ｂとの間の隙間に、現場打ちのコンクリート２１ａ及び２１ｂを充填して、水路構造体１の施工が完了する。このとき、魚巣ブロック１０の側壁部材４４ａ及び４４ｂに形成された切欠１９ａ及び１９ｂの内部もコンクリート２１ａ及び２１ｂが充填された状態となるので、魚巣ブロック１０のコンクリート２１及び２１ｂによる固定がより強固になる。
【００５７】
このようにして水路構造体１を構成すると、所定の大きさの魚巣ブロック１０を用意しておけば、現場打ちのコンクリートを併用して、Ｕ字形内部の寸法が魚巣ブロック１０の幅より大きな第１の水路ブロック３に対しても同様に取り付けが可能となる。したがって、使用される第１の水路ブロック３の大きさに応じて、種々の大きさの魚巣ブロック１０を用意する必要がなくなり、コスト面で経済的となる。
【００５８】
尚、魚巣ブロック１０の取り付けに際して、上面部材４３、開放面１１、傾斜部材４５及び凹部１６の上面部分の各々は、先の第１の実施の形態と同様に配置されているため、水路構造体１は先の第１の実施の形態と同様の効果を発揮する。
【００５９】
図９は、この発明の第３の実施の形態による水路構造体の断面図である。
【００６０】
図を参照して、この実施の形態による水路構造体１においては、第１の水路ブロック３の底部８上に、先の第２の実施の形態で示したものとほぼ同形状の２つの魚巣ブロック１０ａ及び１０ｂが幅方向に並列して取り付けられている。そして、魚巣ブロック１０ａ及び１０ｂの各々は、ボルトとナットとを使用せずに、現場打ちのコンクリート２１ａ〜２１ｃのみで接続されている。すなわち、一方の魚巣ブロック１０ａの側壁部材４４ａと第１の水路ブロック３の側壁部１７ａとの間の隙間と、他方の魚巣ブロック１０ｂの側壁部材４４ｄと側壁部１７ｂとの間の隙間と、魚巣ブロック１０ａの側壁部材４４ｂと魚巣ブロック１０ｂの側壁部材４４ｃとの間の隙間とに、それぞれ現場打ちのコンクリート２１ａ〜２１ｃを充填することにより一体化されている。
【００６１】
このように、内部の寸法が魚巣ブロック１０ａの幅の２倍以上の第１の水路ブロック３に対しても、一種類の魚巣ブロックを用意しておけば、２以上並列に取り付けることによって、生物の棲息空間を備えた水路構造体１を効率的に構成することが可能となる。
【００６２】
尚、この実施の形態では、同一形状の一対の魚巣ブロック１０ａ及び１０ｂが用いられているが、各々の長さ、幅及び高さの少なくとも１つの寸法が異なる一対の魚巣ブロックを取り付ければ、水流に変化を生じさせることができ、生物の棲息環境を多様にすることができる。
【００６３】
図１０は、この発明の第４の実施の形態による水路構造体の概略構成を示した斜視図であり、図１１は、図１０で示した魚巣ブロックの斜視図であり、図１２は、図１０で示したＸＩＩ−ＸＩＩラインの断面図である。尚、水路本体２の上流側は、図１０においては奥側であり、図１２においては左側である。
【００６４】
これらの図を参照して、この実施の形態による水路構造体１の基本的な構成は、先の第２の実施の形態と同様であるが、水路本体２の構成と、魚巣ブロック１０ａ〜１０ｃの形状が、先の第２の実施の形態とは異なっている。
【００６５】
水路本体２の一部を構成する第１の水路ブロック３ａ〜３ｂは、コンクリート二次製品よりなるＬ形断面水路ブロック２５ａ〜２５ｆを組み合わせて構成されている。例えば、第１の水路ブロック３ｃは、図１０に示されるように、一対のＬ形断面水路ブロック２５ｅ及び２５ｆを、各々の垂直部５１ａ及び５１ｂ同志が各々の水平部５０ａ及び５０ｂを介して対向するように、基礎コンクリート２９上に設置した後、水平部５０ａ及び５０ｂ同志の隙間部分に現場打ちのコンクリート２６を充填して一体化することによって構成されている。
【００６６】
このように、第１の水路ブロック３ａ〜３ｃには、必ずしも断面Ｕ字形のコンクリート二次製品を使用する必要はなく、断面Ｕ字形以外のコンクリートブロックと、現場打ちのコンクリートとを組み合わせて水路本体２を構成しても良い。この場合でも、他の実施の形態と同様に、魚巣ブロック１０ａ〜１０ｃの取り付けによって、生物の棲息環境を備えた水路構造体１を構成することが可能である。
【００６７】
尚、第１の水路ブロック３ａの上流側と、第１の水路ブロック３ｃの下流側とには、図示しない第２の水路ブロックがそれぞれ接続されているが、この第２の水路ブロックについても、深さの異なるＬ形断面水路ブロックを用いて構成しても良い。
【００６８】
魚巣ブロック１０ａは、図１１に示されるように、上記の各実施の形態におけるものと同様に、平面視矩形形状の上面部材４３と、上面部材４３の幅方向の二辺の各々に接続された側壁部材４４ａ及び４４ｂと、上面部材４３における上流側に配置される辺に接続され、上流側に向かって下降する傾斜部材４５とを備え、二面が開放された箱形形状に形成されている。ただし、この実施の形態においては、上面部材４３の外方面及び内方面にはいずれも凹凸が形成されておらず、魚巣ブロック１０ａの内部の空間の横断面は、矩形形状を有している。また、一対の側壁部材４４ａ及び４４ｂの各々の外方面には、長手方向に伸びる溝２４ａ及び２４ｂがそれぞれ形成されている。尚、他方の魚巣ブロック１０ｂ及び１０ｃについても、魚巣ブロック１０ａと同一形状に形成されている。
【００６９】
このように構成された魚巣ブロック１０ａは、上記のように構成された第１の水路ブロック３ａの底部８の上面に設置され、先の第２の実施の形態と同様に、側壁部材４４ａ及び４４ｂの各々と、これらと対向するＬ形断面水路ブロック２５ａ及び２５ｂとの間の隙間に現場打ちのコンクリート２１ａ及び２１ｂを充填することによって水路本体２と一体化されている。このとき、魚巣ブロック１０ａの側壁部材４４ａ及び４４ｂに形成された溝２４ａ及び２４ｂの内部にもコンクリート２１ａ及び２１ｂが充填されるため、魚巣ブロック１０ａの水路本体２に対する固着の強度が向上する。
【００７０】
また、この実施の形態では、図１２に示されるように、傾斜部材４５ａ及び４５ｂの外面の傾斜面１２ａ及び１２ｂは、底部８ａ及び８ｂに対する角度αが６０°より小さくなるように設定されている。これによって、図１２の矢印の方向への水の流れに伴って、傾斜面１２ａ及び１２ｂに沿って適度な方向への水流を生じるため、魚巣ブロック１０ａ及び１０ｂの設置による乱流の発生を抑制することができる。その結果、底部８ａ及び８ｂ上に堆積した泥や砂が洗い流されず、ドジョウやカニの棲息できる環境を維持することが可能となる。
【００７１】
更に、この実施の形態においては、底部８ａ及び８ｂ上における開放面１１ａ及び１１ｂの前後の部分に、人工藻２８ａ及び２８ｂが取り付けられた金網２７ａ及び２７ｂが取り付けられている。このような人工藻２８ａ及び２８ｂを取り付ければ、魚巣ブロック１０ａ及び１０ｂの内部に魚類等の産卵場所を構築することができる。また、金網２７ａ及び２７ｂによって、一層底部８ａ及び８ｂ上面の泥砂等の流失が抑制されると共に、天然の藻類が根付きやすくなる。同様の目的で、金網に変えて、または、金網と併用して、繊維マットや石を設置しても良い。
【００７２】
図１３は、この発明の第５の実施の形態による水路構造体の概略構成を示した断面図であり、図１４は、図１３で示した魚巣ブロックの斜視図である。
【００７３】
これらの図を参照して、この実施の形態による水路構造体１の基本的な構成は、先の第４の実施の形態とほぼ同様であるが、魚巣ブロック１０ａ及び１０ｂの形状が先の第４の実施の形態におけるものとは若干異なっている。
【００７４】
この実施の形態による魚巣ブロック１０ａには、図１４に示されるように、魚巣ブロック１０ａの設置時において接地面との間に挿通自在の隙間を生じるような切欠３０ａが形成されている。この実施の形態においては、傾斜部材４５ａの下端のほぼ中央に、傾斜部材４５ａの外方面から内方面まで伸びる蒲鉾形状の切欠３０ａが形成されている。
【００７５】
尚、この実施の形態においても、底部８ａ及び８ｂに対する傾斜面１２ａ及び１２ｂの傾斜角度αは６０°より小さくすることが望ましい。また、側壁部材４４ａ及び４４ｂの外方面には、先の第４の実施の形態におけるものとは異なり、溝が形成されていないが、必要に応じて溝を形成しても良い。
【００７６】
このように構成された魚巣ブロック１０ａ及び１０ｂを、第１の水路ブロック３ａ及び３ｂの底部８ａ及び８ｂの上面に設置すると、図１３に示されるように、切欠３０ａ及び３０ｂによって、傾斜部材４５ａ及び４５ｂと底部８ａ及び８ｂとの間に隙間を生じることになる。すると、切欠３０ａ及び３０ｂによる隙間を通じて、魚巣ブロック１０ａ及び１０ｂ内部の通水性が向上するため、魚巣ブロック１０ａ及び１０ｂの内部の空間に、上流側からの新しい水と共に内部に棲息する生物の餌が侵入しやすくなるため、魚巣ブロック１０ａ及び１０ｂの内部の環境をより向上させることができる。また、切欠３０ａ及び３０ｂによる隙間を通じて、ドジョウなどの小魚が移動できるようになる。
【００７７】
尚、この実施の形態では、１つの魚巣ブロックに１つの切欠が形成されているが、２以上の切欠を形成して、第１の水路ブロックとの間に２以上の隙間を生じるように構成しても良い。
【００７８】
図１５は、この発明の第６の実施の形態による水路構造体の要部を示した断面図である。
【００７９】
図を参照して、この実施の形態による水路構造体１は、農業用排水路に用いられるものであり、その基本的な構成は先の第５の実施の形態と同様である。すなわち、第１の水路ブロック３の底部８上に、傾斜部材４５の下端に切欠３０が形成された魚巣ブロック１０が設置されている。また、魚巣ブロック１０の内部の開放面１１側の部分には、図示しない取付具等を用いて人工藻２８が取り付けられている。
【００８０】
ただし、この実施の形態においては、第１の水路ブロック３の底部８に開口３１が形成されている。そして、魚巣ブロック１０は、上面部材４３で開口３１を覆うように配置されている。
【００８１】
排水路のように止水を必要としない場合には、このような開口３１を形成しておけば、開口３１内に露出した地盤面に天然の水草や藻類が根付きやすくなるため、魚巣ブロック１０内部の棲息環境をより自然に近づけることが可能となる。
【００８２】
また、この実施の形態による魚巣ブロック１０の上面には、擬石や本石等の石３２が複数埋め込まれて粗面に仕上げられている。これによって、魚巣ブロック１０の上面をサンショウウオ等の生物が移動しやすく、また、水路内を人が歩く際にも滑りにくくなるためより好ましい。
【００８３】
図１６は、この発明の第７の実施の形態による水路構造体の概略構成を示した一部破断図であり、図１７は、図１６で示した魚巣ブロックの斜視図であり、図１８は、図１６で示したＸＶＩＩＩ−ＸＶＩＩＩラインの断面図である。尚、図１６及び図１８において、水路の上流は右側である。
【００８４】
まず、図１６及び図１７を参照して、この実施の形態における魚巣ブロック１０もまた箱形形状を有し、平面視矩形状の上面部材４３と、上面部材４３の幅方向の二辺の各々に接続された側壁部材４４ａ及び４４ｂとを備えているが、上流側に配置される辺には、外面がほぼ垂直面に形成された垂直部材３３が接続されている点が、上記の各実施の形態とは異なっている。また、下流側に配置される開放面１１には、その一部分のみが開放されて開口部３６が形成されている点も、上記の各実施の形態とは異なっている。
【００８５】
尚、上面部材４３には、その外方面に凸部１４が形成されると共に、その内方面には凸部１４と対応すると共に開口部３６と連続する凹部１６が形成されているが、この凹部１６は、先の第１の実施の形態によるものと同様に、常に魚類等が出入りできる空間を確保するためのものである。
【００８６】
次に、図１８を併せて参照して、この実施の形態による水路構造体１を施工する際には、まず、第２の水路ブロック４の下流側の端部に、第２の水路ブロック４より深い第１の水路ブロック３を接続する。そして、第１の水路ブロック３の底部８上に魚巣ブロック１０を取り付ける。このとき、垂直部材３３の垂直面３８の上端部と、上流側の水路ブロック４の底部９の端面３４とが接するように、魚巣ブロック１０を底部８上に取り付ける。尚、魚巣ブロック１０の取り付けには、セメントや接着剤を使用することができる。
【００８７】
このように構成すると、第１の水路ブロック３と、その上流側の第２の水路ブロック４との接続部分の隙間が、垂直部材３３に覆われた状態となるため、魚巣ブロック１０を取り付けるだけで、第１の水路ブロック３の上流側部分の止水が可能となり、止水のための別部材が不要となる。
【００８８】
図１９は、この発明の第８の実施の形態による水路構造体の概略構成を示した一部破断図であり、図２０は、図１９で示した魚巣ブロックの斜視図であり、図２１は、図２０で示したＸＸＩ−ＸＸＩラインの断面図であり、更に図２２は、図１９で示したＸＸＩＩ−ＸＸＩＩラインの断面図である。
【００８９】
これらの図を参照して、この実施の形態による水路構造体１の基本的な構成は、先の第７の実施の形態によるものと同様であるが、魚巣ブロック１０の形状が先の第７の実施の形態とは異なっている。
【００９０】
まず、魚巣ブロック１０の開放面１１には、仕切部材３５が形成され、開放された部分がより小さな二つの開口部３６ａ及び３６ｂに区切られている。次に、上面部材４３には、魚巣ブロック１０の外方側から内部へと垂直方向に貫通する開口３７が形成されている。この開口３７の大きさは、例えば、直径１ｃｍ程度に設定されている。
【００９１】
このように構成された魚巣ブロック１０は、先の第７の実施の形態と同様に、垂直部材３３の垂直面３８の上端部が、上流側の第２の水路ブロック４の底部９の端面３４に接した状態で取り付けられている。したがって、垂直部材３３により、第１の水路ブロック３と、上流側の第２の水路ブロック４との接続部分の隙間を、別部材を用いることなく止水することが可能となる。
【００９２】
また、図１９及び図２２の矢印で示される方向に水が流れると、上面部材４３に形成された開口３７を通じて、魚巣ブロック１０の内部へと上流側の水が流入する。これによって、魚巣ブロック１０の通水性がより良くなるため、開口４３から魚巣ブロック１０内部へと新しい水や、内部に棲息する生物の餌が侵入しやすくなり、魚巣ブロック１０内の生物の棲息環境を一層向上させることが可能となる。また、これと同様の効果をもつブロックの材質として、ブロック全体を通水性のあるポーラスコンクリートとしても良い。
【００９３】
更に、この実施の形態においては、仕切部材３５によって、開放面１１の開放部分が２つの開口部３６ａ及び３６ｂに分割されるため、開放面１１の開口部３６ａ及び３６ｂから魚巣ブロック１０の内部へと出入りできる生物の大きさを制限することが可能となる。例えば、大型魚の侵入を制限して、小型魚や稚魚を保護することができるようになる。
【００９４】
尚、この実施の形態では、上面部材４３には１つの開口３７が形成されているが、２以上の開口を形成しても良い。また、仕切部材３５を複数設けて、開放部分を３以上に分割したり、仕切部材３５を魚巣ブロック１０と一体的に形成する代わりに、例えば金網等の別部材を仕切部材３５として取り付けても良い。
【００９５】
図２３は、この発明の第９の実施の形態による水路構造体の概略構成を示した断面図である。尚、図２３においては、左側が水路の上流側である。
【００９６】
図を参照して、この実施の形態による水路構造体１において、水路本体２及び魚巣ブロック１０は先の第１の実施の形態によるものと同一であり、これらの説明は省略する。
【００９７】
ただし、この実施の形態においては、第１の水路ブロック３ｂと、その下流側の第２の水路ブロック４ｂとの接続部分が、現場打ちのコンクリート３９によって埋められている。コンクリート３９は、第１の水路ブロック３ｂの下流側の端部と、第２の水路ブロック４ｂの底部９ｂの端部４７と、これらの間を止水する現場打ちのコンクリート５ｂとを覆い、上流側に向かって下降する傾斜面４０が形成されるように打ち込まれている。
【００９８】
このように構成すれば、第１の水路ブロック３と第２の水路ブロック４ｂとの接続部分における水流抵抗が減少するため、上流側に配置された魚巣ブロック１０と下流側の第２の水路ブロック４ｂとの間が大きく空いている場合でも、スムーズな水の流れを維持することができる。
【００９９】
尚、第１の水路ブロック３ｂと第２の水路ブロック４ｂとの接続部分を現場打ちのコンクリート３９で埋める場合には、止水のための現場打ちコンクリート５ｂを省略しても良い。
【０１００】
図２４は、この発明の第１０の実施の形態による水路構造体の概略構成を示した断面図であり、図２５は、図２４で示した魚巣ブロックの斜視図である。
【０１０１】
これらの図を参照して、この実施の形態による水路構造体１は、水路本体の構成については先の第１の実施の形態とほぼ同様であるが、魚巣ブロック１０の形状が先の第１の実施の形態とは異なっている。
【０１０２】
魚巣ブロック１０は、外郭がほぼ直方体箱形形状を有するコンクリート二次製品よりなり、平面視矩形形状の上面部材４３と、上面部材４３の幅方向の二辺の各々に接続された一対の側壁部材４４ａ及び４４ｂとを備え、設置時に下流側に配置される開放面１１と底面部分を構成する一面とに加えて、更に上流側に配置される面も開放されて、開放面４１が形成されている。
【０１０３】
上記のような魚巣ブロック１０は、図２４に示されるように、上面部材４３の上流側の辺４２と、上流側の第２の水路ブロック４ａの底部９の端部４８とが接するように、第１の水路ブロック３の底部８の上面に取り付けられている。すると、魚巣ブロック１０の内部は、上面部材４３と、一対の側壁部材４４ａ及び４４ｂと、上流側の第２の水路ブロック４ａの端部４８と、止水するための現場打ちのコンクリート５ａとで囲われた状態となる。そして、魚巣ブロック１０の上流側部分は、水路本体２の一部によって、その内部への水の流入が阻止されている。
【０１０４】
このように、この実施の形態による水路構造体１では、水路本体の上流側の浅い部分、すなわち、上流側に接続された第２の水路ブロック４ａの端部４８を利用して、魚巣ブロック１０の内部に囲われた空間が形成されるため、魚巣ブロック１０を効率的な形状に形成することが可能となる。また、このような三面だけを有する魚巣ブロック１０であれば、型枠の製作も容易であり、魚巣ブロック１０の製造コストも経済的となる。更に、上流側に配置される一面がないため、長手方向の寸法が一定であれば、魚巣ブロック１０内部の奥行き方向（図２４における左方向）の寸法をより大きくでき、生物の棲息空間をより広くすることが可能となる。
【０１０５】
この実施の形態においては、上面部材の上面はほぼ平坦に形成されているが、先の第７の実施の形態（図１６等）と同様に、上面部材の外方面に凸部を設けると共に、下方面に凸部と対応した凹部を形成しても良い。この場合、凹部の上面の一部が第２の水路ブロック４ａの底部９の上面より上方に位置するように構成すれば、泥砂が底部９のレベルまで堆積しても、凹部の一部に水や空気が溜まり、生物が出入りできる空間が確保され、棲息環境が向上する。
【０１０６】
尚、上記の各実施の形態では、魚巣ブロックを箱形形状に形成しているが、箱形形状以外に形成しても良い。例えば、魚巣ブロックを一対の側壁部材がない形状に形成して、上面部材が水路本体の浅い部分とほぼ整列するように、上面部材の部分を水路本体に直接取り付けても良い。
【０１０７】
また、上記の各実施の形態では、水路本体はコンクリート二次製品を用いて構成されているが、必ずしもこのような水路本体である必要はなく、現場打ちのコンクリートで構成した水路本体に魚巣ブロックを取り付けて水路構造体を構成しても良い。
【０１０８】
更に、上記の各実施の形態では、魚巣ブロックと第１の水路ブロックとを別体としているが、これらを一体的に形成しても良い。
【０１０９】
更に、上記の各実施の形態では、水路本体に深く形成された一部は、第１の水路ブロックの底部全体によって構成されているが、必ずしもこのように構成する必要はなく、魚巣ブロックを設置する部分とその周辺部分のみが深くなるように水路本体を構成しても良い。
【０１１０】
更に、上記の各実施の形態では、魚巣ブロックの底面部分は開放されているが、必ずしもこのように構成する必要はなく、底面を備えるようにしても良い。
【０１１１】
更に、上記の各実施の形態では、魚巣ブロックは、各面を構成する部材が一体化されたコンクリート二次製品として形成されているが、別体として形成した各部材を一体的に接続して構成しても良い。
【０１１２】
更に、上記の各実施の形態において、水路本体及び魚巣ブロックは、コンクリート、ポーラスコンクリート、ソイルコンクリート、陶器、金属、プラスチック及び木の少なくとも１つを含む材料で構成することができる。水流に耐え得る十分な強度を備えながらも、より自然に近い材料を用いれば、水路構造体内に魚類等の生物が棲息しやすくなると共に、水棲植物も繁茂しやすくなる。
【０１１３】
更に、上記の各実施の形態において、排水路のように水路本体の止水が不要な場合には、水路本体の底部や側壁部分に更に開口を設けて、通水性を向上させても良い。
【０１１４】
更に、上記の第１から第５の各実施の形態では、傾斜部材の外面の全体に傾斜面が形成されているが、必ずしもこのように構成する必要はなく、傾斜部材の上方部分のみに傾斜面を形成するようにしても、ほぼ同様の効果を発揮する。
【０１１５】
更に、上記の第５の実施の形態において、傾斜部材の下端に切欠を設ける代わりに、傾斜部材を貫通するような開口を形成しても良い。
【図面の簡単な説明】
【０１１６】
【図１】この発明の第１の実施の形態による水路構造体の概略構成を示した斜視図である。
【図２】図１で示した魚巣ブロックの斜視図である。
【図３】図２で示した魚巣ブロックを下方から見た斜視図である。
【図４】図１で示したＩＶ−ＩＶラインの断面図である。
【図５】図１で示したＶ−Ｖラインの拡大断面図である。
【図６】この発明の第２の実施の形態による水路構造体の断面図である。
【図７】図６で示した魚巣ブロックの斜視図である。
【図８】図７で示した魚巣ブロックを下方から見た斜視図である。
【図９】この発明の第３の実施の形態による水路構造体の断面図である。
【図１０】この発明の第４の実施の形態による水路構造体の概略構成を示した斜視図である。
【図１１】図１０で示した魚巣ブロックの斜視図である。
【図１２】図１０で示したＸＩＩ−ＸＩＩラインの断面図である。
【図１３】この発明の第５の実施の形態による水路構造体の概略構成を示した断面図である。
【図１４】図１３で示した魚巣ブロックの斜視図である。
【図１５】この発明の第６の実施の形態による水路構造体の要部を示した断面図である。
【図１６】この発明の第７の実施の形態による水路構造体の概略構成を示した一部破断図である。
【図１７】図１６で示した魚巣ブロックの斜視図である。
【図１８】図１６で示したＸＶＩＩＩ−ＸＶＩＩＩラインの断面図である。
【図１９】この発明の第８の実施の形態による水路構造体の概略構成を示した一部破断図である。
【図２０】図１９で示した魚巣ブロックの斜視図である。
【図２１】図２０で示したＸＸＩ−ＸＸＩラインの断面図である。
【図２２】図１９で示したＸＸＩＩ−ＸＸＩＩラインの断面図である。
【図２３】この発明の第９の実施の形態による水路構造体の概略構成を示した断面図である。
【図２４】この発明の第１０の実施の形態による水路構造体の概略構成を示した断面図である。
【図２５】図２４で示した魚巣ブロックの斜視図である。
【符号の説明】
【０１１７】
１…水路構造体
２…水路本体
３…第１の水路ブロック
４…第２の水路ブロック
７…水面
８、９…底部
１０…魚巣ブロック
１１…開放面
１２…傾斜面
１６…凹部
２１、２６…コンクリート
２５…Ｌ形断面水路ブロック
３０…切欠
３３…垂直部材
３４…端面
３５…仕切部材
３６…開口部
３７…開口
３８…垂直面
４１…開放面
４２…辺
４３…上面部材
４４…側壁部材
４５…傾斜部材
４６、４７、４８…端部
尚、各図中同一符号は同一または相当部分を示す。
【図１】
2006132248.tif 000003
【図２】
2006132248.tif 000004
【図３】
2006132248.tif 000005
【図４】
2006132248.tif 000006
【図５】
2006132248.tif 000007
【図６】
2006132248.tif 000008
【図７】
2006132248.tif 000009
【図８】
2006132248.tif 000010
【図９】
2006132248.tif 000011
【図１０】
2006132248.tif 000012
【図１１】
2006132248.tif 000013
【図１２】
2006132248.tif 000014
【図１３】
2006132248.tif 000015
【図１４】
2006132248.tif 000016
【図１５】
2006132248.tif 000017
【図１６】
2006132248.tif 000018
【図１７】
2006132248.tif 000019
【図１８】
2006132248.tif 000020
【図１９】
2006132248.tif 000021
【図２０】
2006132248.tif 000022
【図２１】
2006132248.tif 000023
【図２２】
2006132248.tif 000024
【図２３】
2006132248.tif 000025
【図２４】
2006132248.tif 000026
【図２５】
2006132248.tif 000027